(57)【要約】【課題】地下構造物用蓋を設置する際の受枠の設置高さを地表面レベルを基準として容易に調整でき、しかもコンパクトで軽量な受枠吊り装置を提供すること。【解決手段】地下構造物用蓋の受枠を水平状態で吊り下げて支持するために受枠の上端面に放射状に配置される独立した３本以上のアームからなる受枠吊り装置である。各アームは、受枠の上端面と下端面と内周面と外周面とをそれぞれ支持する支持部１１ｄ，１３ｄ，１２ｃ，１３ｄを備え、各支持部によって受枠２０を上下左右から挟み込むように支持して固定する【選択図】図３
0003134468.tif 000002
【実用新案登録請求の範囲】
【請求項１】
地下構造物用蓋の受枠を水平状態で吊り下げて支持するために受枠の上端面に放射状に配置される独立した３本以上のアームからなる受枠吊り装置であって、
各アームは、受枠の上端面と下端面と内周面と外周面とをそれぞれ支持する支持部を備え、各支持部によって受枠を上下左右から挟み込むように支持して固定する受枠吊り装置。
【請求項２】
受枠の下端面を支持する支持部の高さ位置、および受枠の内周面または外周面を支持する支持部のアームの長手方向における位置が変更可能である請求項１に記載の受枠吊り装置。
【請求項３】
アームと受枠の上端面との間またはアームと地表面との間に介在させるスペーサを備えた請求項１または請求項２に記載の受枠吊り装置。
【考案の詳細な説明】
【技術分野】
【０００１】
本考案は、地下構造物用蓋を設置する際の受枠の設置高さを地表面レベルを基準として所定の高さに調整するのに使用する受枠吊り装置に関し、より詳しくは、その設置施工時に受枠を水平状態で吊り下げて支持する受枠吊り装置に関する。
【０００２】
なお、本願明細書でいう「地下構造物用蓋」とは、下水道における地下埋設物，地下構造施設等と地上とを通じる開口部を閉塞するマンホール蓋，大型鉄蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００３】
各種の地下構造物用蓋は、マンホール等の地下構造物の上端に設置される受枠と、これに支持される蓋本体とからなり、その設置施工時には、受枠の設置高さを地表面レベルを基準として所定の高さに調整する。
【０００４】
受枠の設置高さ調整方法としては、地下構造物の上端に設置された３本のアンカーボルトのそれぞれにねじ式の調整駒を取り付け、その上に受枠を載せ、各調整駒を回転させることで設置高さを調整する方法が普及しているが、この方法によってもほとんどの場合には、地表面に基準となる水糸を張り、それに合わせて手作業で微調整を行う必要があった。
【０００５】
しかし、この手作業による微調整は、３本のアンカーボルトに取り付けられた各調整駒を、受枠を載せた状態で１個ずつ回転させることによって行うため、調整に時間を要し、また作業者の肉体的負担も大きい。
【０００６】
これに対して、特許文献１には、鉄蓋ハンガーと称する受枠吊り装置を使用して受枠を吊り、その設置高さを地表面レベルに合わせる方法が開示されている。この方法によれば、上述のような手作業による微調整を行うことなく、受枠の設置高さを地表面の高さに合わせることができる。
【０００７】
しかし、特許文献１の受枠吊り装置（鉄蓋ハンガー）は、受枠のサイズに見合う円形の接合プレートと、これに固定されて放射状に伸びる３本のアームを備えるため、サイズ、重量ともに非常に大きくなる。したがって、取り扱い性や持ち運び性に問題があり、また、保管時には大きなスペースが必要となる。
【特許文献１】特開平９−１４４０４５号公報
【考案の開示】
【考案が解決しようとする課題】
【０００８】
本考案が解決しようとする課題は、地下構造物用蓋を設置する際の受枠の設置高さを地表面レベルを基準として容易に調整でき、しかもコンパクトで軽量な受枠吊り装置を提供することにある。
【課題を解決するための手段】
【０００９】
本考案の受枠吊り装置は、地下構造物用蓋の受枠を水平状態で吊り下げて支持するために受枠の上端面に放射状に配置される独立した３本以上のアームからなる受枠吊り装置であって、各アームは、受枠の上端面と下端面と内周面と外周面とをそれぞれ支持する支持部を備え、各支持部によって受枠を上下左右から挟み込むように支持して固定することを特徴とするものである。
【００１０】
このように本考案の受枠吊り装置では独立したアームのみを使用するので、全体としてコンパクトにでき、軽量化も図ることができる。また各アームは、使用時にのみ受枠の上端面に放射状に配置すればよいので、取り扱い性や持ち運び性も向上し、保管も小さなスペースで行うことができる。
【００１１】
本考案においては、受枠の下端面を支持する支持部の高さ位置、および受枠の内周面または外周面を支持する支持部のアームの長手方向における位置を変更可能とすることが好ましい。これによって、受枠の形状に合わせて各支持部を適正な位置に調整することができ、各種形状の受枠に対応可能となる。
【００１２】
さらに、本考案においては、アームと受枠の上端面との間またはアームと地表面との間にスペーサを介在させ、受枠の設置高さを調整可能とすることができる。スペーサを介在させない場合、各アームの下面に受枠の上端面が接触するように受枠を固定し、各アームの先端側の下面を地表面に載置することで、受枠の設置高さを地表面レベルに一致させるが、アームと受枠の上端面との間にスペーサを介在させることで、受枠の設置高さをスペーサの厚み分だけ地表面レベルよりも下方に調整することができる。また、アームと地表面との間にスペーサを介在させることで、受枠の設置高さをスペーサの厚み分だけ地表面レベルよりも上方に調整することができる。
【考案の効果】
【００１３】
本考案の受枠吊り装置によれば、受枠の設置高さを地表面レベルを基準として容易に調整でき、しかもコンパクトで軽量に構成できるので、取り扱い性や持ち運び性も向上し、保管も小さなスペースで行うことができる。
【考案を実施するための最良の形態】
【００１４】
以下、図面に示す実施例に基づき本考案の実施の形態を説明する。
【実施例１】
【００１５】
図１は、本考案に係る受枠吊り装置を構成するアームの第１実施例を示す斜視図である。
【００１６】
この実施例のアーム１０においては、使用時に受枠の上端面に載置される４角柱状のアーム本体１１の下面側に、第１支持部材１２および第２支持部材１３が取り付けられている。
【００１７】
第１支持部材１２は、アーム本体１１の基端近傍に設けた長溝１１ａに沿ってアーム本体１１の長手方向に移動可能に取り付けられており、上端部分に設けたネジ部１２ａに支持ナット１４を螺着し締め付けることによって、長溝１１ａ内の所定の位置で固定される。第１支持部材１２の中間部分には長溝１１ａより僅かに狭幅のガイド部１２ｂが設けられており、このガイド部１２ｂが長溝１１ａ内に位置することによって、第１支持部材１２は水平回転することなく長溝１１ａに沿ってスムーズに前後動することができるとともに、長溝１１ａ内の所定の位置で安定して固定される。さらに、第１支持部材１２の下端部分には、使用時に受枠の内周面を支持する支持部１２ｃが設けられている。
【００１８】
第２支持部材１３は、アーム本体１１の長溝１１ａより先端側下面に設けた支持筒１１ｂに上下方向に移動可能に取り付けられており、支持筒１１ｂ内に挿入される支持軸１３ａの上端部分に設けたネジ部１３ｂに支持ナット１５を螺着することによって所定の高さ位置で固定される。すなわち、支持ナット１５をねじ込む方向に回転させると第２支持部材１３は上昇し、支持ナット１５を緩める方向に回転させると第２支持部材１３は下降する。支持筒１１ｂには上下方向にガイド溝１１ｃが設けられており、ガイドピン１３ｃがガイド溝１１ｃを通って支持軸１３ａに螺着されている。これによって、第２支持部材１３は水平回転することなくガイド溝１１ｃに沿ってスムーズに上下動することができる。また、支持ナット１５が外れた場合に、ガイドピン１３ｃがガイド溝１１ｃの下端に引っ掛かり、第２支持部材１３の脱落を防止することができる。支持軸１３ａの下端には、使用時に受枠の下端面を支持する板状の支持部１３ｄが設けられ、この支持部１３ｄの上面には使用時に受枠の外周面を支持する円柱状の支持部１３ｅが設けられている。
【００１９】
アーム本体１１には、第１支持部材１２および第２支持部材１３のほかに、取っ手１６とスペーサ１７が取り付けられている。
【００２０】
取っ手１６は、アーム本体１１の上面に固定されており、アーム１０自体の持ち運び、あるいはアーム１０に固定された受枠の持ち運びの際に利用される。
【００２１】
スペーサ１７は、使用時にアームと地表面との間に介在させるもので、円柱状のスペーサ本体１７ａをアーム本体１１の先端に回転可能に設け、その回転軸１７ｂ（図３参照）を偏心位置に設けることにより、回転角度に応じてスペーサ本体１７ａのアーム本体１１下面からの突出量を変化させるようにしている。スペーサ本体１７ａの回転角度は、ねじ込み式の固定具１７ｃによって固定するようにしている。
【００２２】
以上の構成を備えたアーム１０からなる受枠吊り装置の使用方法を以下に説明する。
【００２３】
図２は図１のアーム１０に受枠を固定した状態を示す平面図である。
【００２４】
本考案の受枠吊り装置は３本以上のアームから構成されるが、この実施例では３本のアーム１０を使用している。各アーム１０は図２に示すように受枠２０の上端面に放射状に配置され、後述するように受枠２０の上端面、下端面、内周面および外周面をそれぞれ支持する支持部よって受枠を上下左右から挟み込むように支持して固定する。このように、放射状に配置した３本のアーム１０に受枠２０を固定することにより、これら３本のアーム１０によって受枠２０を水平状態で吊り下げて支持できるようになる。
【００２５】
次に、受枠２０をマンホール等の地下構造物の上端に設置するため、３本のアーム１０によって受枠２０を吊り下げ、これを地下構造物の上端に移動させる。図３は、このようにアーム１０を使用して受枠２０を地下構造物３０の上端に設置した状態を示す要部の断面図である。
【００２６】
同図に示すように、受枠２０の内周面は第１支持部材１２の支持部１２ｃで支持され、受枠２０の外周面は第２支持部材１３の支持部１３ｅで支持されている。また、受枠２０の下端面は第２支持部材１３の支持部１３ｄで支持され、受枠２０の上端面はアーム本体１１の下面１１ｄで支持されている。すなわち、この実施例においてはアーム本体１１の下面１１ｄが受枠２０の上端面を支持する支持部となる。
【００２７】
ここで、上述のとおり、第１支持部材１２（支持部１２ｃ）はアーム１０の長手方向における位置が変更可能であり、第２支持部材１３（支持部１３ｄ，１３ｅ）は高さ位置が変更可能であるので、これらの位置を受枠の形状に合わせて調整することにより、図３に示すように各支持部によって受枠を上下左右から挟み込むように支持して固定することができる。
【００２８】
このように各アーム１０に受枠２０を固定した状態で、各アーム１０を地表面ＧＬ上に載置することにより、図３に示すように受枠２０の上端面を地表面レベルに容易に一致させることができる。なお、図３には示していないが、通常、地下構造物３０の上端には３本のアンカーボルトが設置され、このアンカーボルトに受枠２０を固定する際に、各アンカーボルトにねじ式の調整駒を取り付ける場合が多い。この場合、図３に示すようにして受枠２０の設置高さを地表面レベルに一致させた後、調整駒を受枠２０の下端面に当接するまで上昇させ、受枠２０を調整駒によって支持するようにする。これによって、受枠２０は、その設置高さが地表面レベルに一致した状態で位置決めされ、その後、各アーム１０は受枠２０から取り外される。
【００２９】
上述の図３の例では受枠２０の設置高さを地表面レベルと一致させるようにしたが、スペーサ１７を使用することにより、受枠２０の設置高さを地表面レベルよりも上方に調整することができる。すなわち、スペーサ本体１７ａを回転軸１７ｂ周りに回転させることによりアーム本体１１下面から突出させて、アーム本体１１と地表面ＧＬとの間に介在させることにより、受枠２０の設置高さをスペーサ本体１７ａの突出量の分だけ地表面レベルよりも上方に調整することができる。
【００３０】
なお、受枠２０の設置高さを地表面レベルよりも下方に調整したい場合には、例えば板状のスペーサ（図示せず）をアーム本体１１の下面１１ｄと受枠２０の上端面との間に介在させるようにすれば、受枠２０の設置高さをスペーサの厚み分だけ地表面レベルよりも下方に調整することができる。
【実施例２】
【００３１】
図４は、本考案に係る受枠吊り装置を構成するアームの第２実施例を示す斜視図である。
【００３２】
この実施例のアーム４０においては、使用時に受枠の上端面に載置される丸棒状のアーム本体４１に、第１支持部材４２、第２支持部材４３およびスペーサ４４が取り付けられている。
【００３３】
第１支持部材４２は、アーム本体４１の長手方向に移動可能に取り付けられており、アーム本体４１を挿通する支持筒４２ａに取り付けたねじ込み式の固定具４５によって所定の位置で固定される。支持筒４２ａには、使用時に受枠の外周面を支持する支持部４２ｂが設けられている。
【００３４】
第２支持部材４３は、アーム本体４１の基端に設けた支持筒４１ａに上下方向に移動可能に取り付けられており、支持筒４１ａ内に挿入される支持軸４３ａの上端部分に設けたネジ部４３ｂに支持ナット４６を螺着することによって所定の高さ位置で固定される。すなわち、支持ナット４６をねじ込む方向に回転させると第２支持部材４３は上昇し、支持ナット４６を緩める方向に回転させると第２支持部材４３は下降する。支持筒４１ａには上下方向にガイド溝４１ｂが設けられており、ガイドピン４３ｃがガイド溝４１ｂを通って支持軸４３ａに螺着されている。これによって、第２支持部材４３は水平回転することなくガイド溝４１ｂに沿ってスムーズに上下動することができ、また、支持ナット４６が外れた場合に、ガイドピン４３ｃがガイド溝４１ｂの下端に引っ掛かり、第２支持部材４３の脱落を防止することができる。支持軸４３ａの下端には、使用時に受枠の下端面を支持する板状の支持部４３ｄが設けられている。
【００３５】
スペーサ４４は、アーム本体４１の先端に螺合されており、その螺合量を調整することにより、アーム本体４１下面からの軸部４４ａの突出量を変化させるようにしたものである。
【００３６】
以上の構成を備えたアーム４０からなる受枠吊り装置の使用方法を以下に説明する。
【００３７】
この実施例でも上述の実施例１と同様に、３本のアーム４０によって受枠２０を水平状態で吊り下げて支持し、地下構造物の上端に設置する。図５は、このようにアーム４０を使用して受枠２０を地下構造物３０の上端に設置した状態を示す要部の断面図である。
【００３８】
同図に示すように、受枠２０の外周面は第１支持部材４２の支持部４２ｂで支持され、受枠２０の内周面はアーム本体４１に固定されている支持筒４１ａの外周面で支持されている。また、受枠２０の下端面は第２支持部材４３の支持部４３ｄで支持され、受枠２０の上端面はアーム本体４１の下面４１ｃで支持されている。すなわち、この実施例においては、支持筒４１ａの外周面が受枠２０の内周面を支持する支持部となり、アーム本体４１の下面４１ｃが受枠２０の上端面を支持する支持部となる。
【００３９】
ここで、上述のとおり、第１支持部材４２（支持部４２ｂ）はアーム本体４１の長手方向における位置が変更可能であり、第２支持部材４３（支持部４３ｄ）は高さ位置が変更可能であるので、これらの位置を受枠の形状に合わせて調整することにより、図５に示すように各支持部によって受枠を上下左右から挟み込むように支持して固定することができる。
【００４０】
このように各アーム４０に受枠２０を固定した状態で、各アーム４０を地表面ＧＬ上に載置することにより、図５に示すように受枠２０の上端面を地表面レベルに容易に一致させることができる。その後、各アーム４０は受枠２０から取り外される。
【００４１】
上述の図５の例では受枠２０の設置高さを地表面レベルと一致させるようにしたが、スペーサ４４を使用することにより、受枠２０の設置高さを地表面レベルよりも上方に調整することができる。すなわち、スペーサ４４を螺進させることによりアーム本体４１下面から軸部４４ａを突出させて、アーム本体４１と地表面ＧＬとの間に介在させることにより、受枠２０の設置高さを軸部４４ａの突出量の分だけ地表面レベルよりも上方に調整することができる。
【００４２】
なお、受枠２０の設置高さを地表面レベルよりも下方に調整したい場合には、例えば板状のスペーサ（図示せず）をアーム本体４１の下面４１ｃと受枠２０の上端面との間に介在させるようにすれば、受枠２０の設置高さをスペーサの厚み分だけ地表面レベルよりも下方に調整することができる。
【図面の簡単な説明】
【００４３】
【図１】本考案に係る受枠吊り装置を構成するアームの第１実施例を示す斜視図である。
【図２】図１のアームに受枠を固定した状態を示す平面図である。
【図３】図１のアームからなる受枠吊り装置を使用して受枠を地下構造物の上端に設置した状態を示す要部の断面図である。
【図４】本考案に係る受枠吊り装置を構成するアームの第２実施例を示す斜視図である。
【図５】図４のアームからなる受枠吊り装置を使用して受枠を地下構造物の上端に設置した状態を示す要部の断面図である。
【符号の説明】
【００４４】
１０  アーム
１１  アーム本体
１１ａ  長溝
１１ｂ  支持筒
１１ｃ  ガイド溝
１１ｄ  下面（支持部）
１２  第１支持部材
１２ａ  ネジ部
１２ｂ  ガイド部
１２ｃ  支持部
１３  第２支持部材
１３ａ  支持軸
１３ｂ  ネジ部
１３ｃ  ガイドピン
１３ｄ，１３ｅ  支持部
１４，１５  支持ナット
１６  取っ手
１７  スペーサ
１７ａ  スペーサ本体
１７ｂ  回転軸
１７ｃ  固定具
２０  受枠
３０  地下構造物
４０  アーム
４１アーム本体
４１ａ  支持筒
４１ｂ  ガイド溝
４１ｃ  下面（支持部）
４２  第１支持部材
４２ａ  支持筒
４２ｂ  支持部
４３  第２支持部材
４３ａ  支持軸
４３ｂ  ネジ部
４３ｃ  ガイドピン
４３ｄ  支持部
４４  スペーサ
４４ａ  軸部
４５  固定具
４６  支持ナット
【図１】
0003134468.tif 000003
【図２】
0003134468.tif 000004
【図３】
0003134468.tif 000005
【図４】
0003134468.tif 000006
【図５】
0003134468.tif 000007